(57)【要約】      （修正有）【課題】無線イヤホン装置に接続されたイヤホンが破損したとき、コード付イヤホンのみの交換ですむ無線イヤホン装置を提供する。【解決手段】モジュール通信方式の第１伝送モジュール１ａを有するオーディオ伝送機器との間で無線によりディジタルオーディオ信号を送受信する第２伝送モジュール１０ａと、この第２伝送モジュール１０ａの受信信号をアナログ音声信号に変換する信号変換部１０ｃと、この信号変換部１０ｃからのアナログ音声信号を出力する第１スピーカユニット１２および第２スピーカユニット１３を耳かけ式の装置本体に設けた無線イヤホン装置２において、前記第１スピーカユニット１２の出力側に接続されるスピーカ４を前記装置本体２に設けるとともに、前記第２スピーカユニット１３の出力側に接続されるジャック５を前記装置本体２の外周部に設け、このジャック５に差込接続するプラグ７を有するイヤホン６を備えてなる。【選択図】図１
0003157404.tif 000002
【実用新案登録請求の範囲】
【請求項１】
モジュール通信方式の第１伝送モジュールを有するオーディオ伝送機器との間で無線によりディジタルオーディオ信号を送受信する第２伝送モジュールと、この第２伝送モジュールの受信信号をアナログ音声信号に変換する信号変換部と、この信号変換部からのアナログ音声信号を出力する第１スピーカユニットおよび第２スピーカユニットを耳かけ式の装置本体に設けた無線イヤホン装置において、
前記第１スピーカユニットの出力側に接続されるスピーカを前記装置本体に設けるとともに、前記第２スピーカユニットの出力側に接続されるジャックを前記装置本体の外周部に設け、このジャックに差込接続するプラグを有するイヤホンを備えてなる無線イヤホン装置。
【請求項２】
前記ジャックが、接地極を含む３極ジャックであり、この３極ジャックに差込接続されるプラグを有した左右１対のイヤホンを備え、前記３極ジャックの第１極に前記第１スピーカユニットの出力側が接続され、前記３極ジャックの第２極に前記第２スピーカユニットの出力側が接続されてなることを特徴とする請求項１に記載の無線イヤホン装置。
【請求項３】
前記３極ジャックに差込接続されるプラグを有した左右１対のヘッドホンスピーカを備えてなることを特徴とする請求項１または２に記載の無線イヤホン装置。
【請求項４】
前記オーディオ伝送機器が、携帯電話機または音楽再生装置であることを特徴とする請求項１に記載の無線イヤホン装置。
【考案の詳細な説明】
【技術分野】
【０００１】
本考案は、オーディオ伝送機器との間で無線通信によりオーディオ信号を送受信して、コード付イヤホンにより音声や再生音楽を聴取し得る無線イヤホン装置に関する。
【背景技術】
【０００２】
近時、ＧＨｚ帯域の短距離無線通信によりオーディオ聴取の利便性を高めるＢｌｕｅｔｏｏｔｈ（登録商標）技術が普及している。
このＢｌｕｅｔｏｏｔｈ技術は、オーディオ伝送機器から直接ではなく、例えば、携帯電話機とイヤホンとの間でオーディオ信号を送受信し、イヤホンやスピーカにより音声や再生楽曲等を聴取できる無線イヤホン装置が知られている。
【０００３】
この一例として、オーディオ伝送機器の通信モジュールに対応した通信モジュールの回路部を耳かけ式の装置本体に内蔵し、音声信号を出力するスピーカユニットに接続されたイヤホンのコードを引き出した無線イヤホン装置が提案されている。この無線イヤホン装置は、前記オーディオ伝送機器が携帯電話機の場合は、着信があるとイヤホンにより着信音を聴取可能なので、ハンズフリーにより通話することができる。
【考案の概要】
【考案が解決しようとする課題】
【０００４】
しかし、上記従来の無線イヤホン装置は、装置本体からイヤホンのコードを引き出しているので、コードに引っ張り力が加わり易い特徴がある。このため、装置本体側でコードが千切れて抜けたり、コードが途中で切断するといった不具合があった。
このように、コードが切断されると、イヤホンが使用できなくなるので、コードと一体の無線イヤホン装置自体を交換しなければならず、甚だ不経済であった。
【課題を解決するための手段】
【０００５】
本考案は、前記課題を解決するために、モジュール通信方式の第１伝送モジュールを有するオーディオ伝送機器との間で無線によりディジタルオーディオ信号を送受信する第２伝送モジュールと、この第２伝送モジュールの受信信号をアナログ音声信号に変換する信号変換部と、この信号変換部からのアナログ音声信号を出力する第１スピーカユニットおよび第２スピーカユニットを耳かけ式の装置本体に設けた無線イヤホン装置において、前記第１スピーカユニットの出力側に接続されるスピーカを前記装置本体に設けるとともに、前記第２スピーカユニットの出力側に接続されるジャックを前記装置本体の外周部に設け、このジャックに差込接続するプラグを有するイヤホンを備えてなることを特徴とする。
【０００６】
また、請求項１に記載の構成に加えて、前記ジャックが、接地極を含む３極ジャックであり、この３極ジャックに差込接続されるプラグを有した左右１対のイヤホンを備え、前記３極ジャックの第１極に前記第１スピーカユニットの出力側が接続され、前記３極ジャックの第２極に前記第２スピーカユニットの出力側が接続されてもよい。
このような構成により、第１スピーカユニットからステレオの右音声チャネルの音声信号を出力し、第２スピーカユニットからステレオの左音声チャネルの音声信号を出力し、左右１対のイヤホンによりステレオで再生楽曲等を聴取できるからである。
【０００７】
また、請求項１または２の構成に加えて、前記３極ジャックに差込接続されるプラグを有した左右１対のヘッドホンスピーカを備えてもよい。
このような構成により、左右１対のヘッドホンスピーカによって、ステレオで再生楽曲等を聴取できるからである。
【０００８】
また、請求項１に記載の構成に加えて、前記オーディオ伝送機器が、携帯電話機または音楽再生装置であってもよい。
このような構成により、装置本体のスピーカまたはジャックに差込接続するプラグを有するイヤホンによって、携帯電話機による通話が可能になるうえ、音楽再生装置の再生楽曲等を聴取できるからである。
【考案の効果】
【０００９】
本考案によると、第１スピーカユニットの出力側に接続されるスピーカを装置本体に設けるとともに、第２スピーカユニットの出力側に接続されるジャックを装置本体の外周部に設け、このジャックに差込接続するプラグを有するイヤホンを備えているので、オーディオ伝送機器からの音声や再生音楽を聴取することができる。
そして、コード付イヤホンのコードが千切れたり、コードの切断によってイヤホンが使用に耐えなくなった場合、このイヤホンのみを取り替えれば良いので、無線イヤホン装置自体を交換する不具合を回避することができる。
【００１０】
また、本考案によれば、３極ジャックの第１極に第１スピーカユニットの出力側が接続され、３極ジャックの第２極に第２スピーカユニットの出力側が接続されているので、３極ジャックにプラグを差込接続すると、左右１対のイヤホンによりステレオで再生楽曲等を聴取できる。
そして、左右１対のコード付イヤホンのコードが千切れたり、コードの切断によってイヤホンが使用に耐えなくなった場合、このイヤホンのみを取り替えれば良いので、無線イヤホン装置自体を交換する必要がなくなる。
【００１１】
また、本考案によれば、前記３極ジャックに差込接続されるプラグを有した左右１対のヘッドホンスピーカを備えているので、このヘッドホンスピーカによりステレオで再生楽曲等を聴取できる。
そして、左右１対のコード付ヘッドホンスピーカのコードが千切れたり、コードの切断によってイヤホンが使用に耐えなくなった場合、このイヤホンのみを取り替えれば良いので、無線イヤホン装置自体を交換する必要がなくなる。
【００１２】
さらに、オーディオ伝送機器が、携帯電話機または音楽再生装置であるから、装置本体のスピーカまたはジャックに差込接続するプラグを有するイヤホンによって、携帯電話機による通話が可能になるうえ、音楽再生装置の再生楽曲等を聴取できる。
そして、携帯電話機または音楽再生装置に用いられる無線イヤホン装置におけるコード付イヤホンのコードが千切れたり、コードの切断によってイヤホンが使用に耐えなくなった場合、このイヤホンのみを取り替えれば良いので、無線イヤホン装置自体を交換する必要がなくなる。
【図面の簡単な説明】
【００１３】
【図１】本考案の一実施例を示す無線イヤホン装置のブロック図である。
【図２】無線イヤホン装置の他の実施例を示すブロック図である。
【図３】無線イヤホン装置のイヤホンの使用状態を示す図である。
【図４】無線イヤホン装置のステレオイヤホンの使用状態を示す図である。
【図５】無線イヤホン装置のヘッドホンスピーカの使用状態を示す図である。
【考案を実施するための形態】
【００１４】
以下、本考案について実施例に基づき更に詳細に説明する。
図１は本考案の一実施例を示す無線イヤホン装置のブロック図である。
【００１５】
本実施例の無線イヤホン装置２は、片耳型Ｂｌｕｅｔｏｏｔｈイヤホンであって、Ｂｌｕｅｔｏｏｔｈ方式の無線伝送技術により、オーディオ伝送機器である音楽再生機能を備えた携帯電話機１や音楽再生装置との間でオーディオ信号を送受信し、装置本体３に備えられた第１イヤホン４及び着脱式に備えられた第２イヤホン６から音声を放音し、またマイクロフォン９より音声を入力可能な構成になっている。
【００１６】
この無線イヤホン装置２は、主要部として通信モジュール１０、音声出力ユニット１１、第１スピーカユニット１２、第２スピーカユニット１３、音声受信ユニット１４等を備えている。
【００１７】
通信モジュール１０は、オーディオ信号を受信および／または送信するための第２伝送モジュール１０ａと、この第２伝送モジュール１０ａが送受信するオーディオ信号を圧縮／解凍するための圧縮／解凍モジュール１０ｂ、解凍されたオーディオ信号をディジタルオーディオ信号からアナログオーディオ信号に変換するための信号変換ユニット１０ｃを備えて構成されている。
【００１８】
この無線イヤホン装置２は、第２伝送モジュール１０ａを介して、携帯電話機１側の第１伝送モジュール１ａの信号を送受信することにより、約１０ｍの近距離にある携帯電話機１と無線通信可能となっている。
【００１９】
通信モジュール１０側の第２伝送モジュール１０ａは、携帯電話機１から圧縮符号化されたディジタルオーディオパケットを受信し、このパケットを圧縮／解凍モジュールに伝送し、前記ディジタルオーディオパケットを解凍復号化する。ディジタルオーディオパケットが、単音の場合は単音信号に解凍し、ステレオのときはステレオ信号に解凍して信号変換ユニット１０ｃに送出する。
【００２０】
この信号変換ユニット１０ｃは、ディジタルオーディオ信号をアナログオーディオ信号に変換して、音声出力ユニット１１に送出する。
この音声出力ユニット１１は、音声の種別に応じて第１スピーカユニット１２および／または第２スピーカユニット１３に出力する。
【００２１】
アナログオーディオ信号が、単音出力のときは第１スピーカユニット１２に出力し、ステレオのときは第１スピーカユニットおよび第２スピーカユニット１２，１３に出力する。このときは、ステレオの右音声チャネルの音声信号を第１スピーカユニット１２に、左音声チャネルの音声信号を第２スピーカユニット１３に出力するようになっている。
【００２２】
第１スピーカユニット１２には、図３に示すように、装置本体３の側部３ａに設けた第１イヤホン４が接続されている。
また、第２スピーカユニット１３には、装置本体３の上部３ｂに差込穴３ｃを有したジャック５が接続されている。このジャック５は、差込穴３ｃの内径を３．５ｍｍにしており、着脱式である第２イヤホン６のコード８に設けたプラグ７が差込接続されるようになっている。
【００２３】
このジャック５にプラグ７が差込まれると、ジャック５およびプラグ７の電圧極５ａとプラグ７の電圧極７ａ、接地極５ｂと接地極７ｂとが相互に接続される。
ユーザーは、必要に応じてジャック５にプラグ７を差込接続しておくと、第１イヤホン４および第２イヤホン６により両耳から音声を聴取することができる。
【００２４】
この第２イヤホン６は、着脱式であるため、このプラグ７からコード８が抜けて千切れたり、第２イヤホン６からコード８が外れたり、コード８自体が切断されるといったことがあっても、容易に交換できる。
よって、無線イヤホン装置２とイヤホンとが一体の従来品と異なり、イヤホンが使用に耐えなくなったときは、このイヤホンのみを取り替えれば良いので、無線イヤホン装置２自体を交換する必要がなくなる。
【００２５】
ところで、この装置本体３は、人Ｈの片耳にかけられる外形形状となっており、第１イヤホン４を耳に挿入すると、片耳に保持される。これにより、ハンズフリーで携帯電話機１による通話を行うことができる。
【００２６】
即ち、前記音声出力ユニット１１からのアナログオーディオ信号が、単音出力のときは第１スピーカユニット１２側に出力されるので、ユーザーは右耳に第１イヤホン４を保持すると、単音を聴くことができる。
【００２７】
一方、アナログオーディオ信号が、ステレオのときは、音声出力ユニット１１からステレオの右音声チャネルの音声信号を第１スピーカユニット１２に、左音声チャネルの音声信号を第２スピーカユニット１３に出力する。
【００２８】
よって、ユーザーは、図３に示す如くジャック５にプラグ７を差込接続した状態で右耳に第１イヤホン４を保持し、左耳に第２イヤホン６を挿入保持すると、例えば、携帯電話機１に組み込まれた音楽再生機能が再生する再生楽曲をステレオで聴取することができる。
【００２９】
なお、装置本体３の下部側には、マイクロフォン９が設けられており、音声受信ユニット１４側に接続されている。この音声受信ユニット１４は、出力が前記信号変換ユニット１０ｃに接続されている。
【００３０】
これにより、マイクロフォン９から話声等の音声信号が音声受信ユニット１４に入力すると、アナログオーディオ信号として信号変換ユニット１０ｃ側に送出する。この信号変換ユニット１０ｃは、アナログオーディオ信号をディジタルオーディオ信号に変換して圧縮／解凍モジュール１０ｂに送出する。この圧縮／解凍モジュール１０ｂは、ディジタルオーディオ信号を圧縮して第２伝送モジュール１０ａに出力する。
【００３１】
この第２伝送モジュール１０ａは、圧縮音声信号を無線により携帯電話機１側に伝送する。この圧縮音声信号を第２伝送モジュール１ａが受信すると、携帯電話機１の圧縮／解凍モジュール側に送出される。さらに、ユーザーの操作に応じて回路各部が動作することにより、外部に送信される。
これにより、マイクロフォン９に入力した音声は、通話の相手方の携帯電話機で聴くことができる。
【００３２】
図２は無線イヤホン装置の他の実施例を示すブロック図である。
この無線イヤホン装置２０は、図４に示す装置本体２１にスピーカ２２や３極ジャック２３を配設し、この３極ジャック２３に差込接続される左右１対のイヤホン２４，２５を備えたもので、他は前記実施例と略同一である。
【００３３】
３極ジャック２３は、第１電圧極２３ａ、第２電圧極２３ｂおよび接地極２３ｃからなり、前記第１スピーカユニット１２に接続されるとともに、第２スピーカユニット１３に接続されている。
【００３４】
この３極ジャック２３の第１電圧極２３ａは、第１スピーカユニット１２の電圧出力側に、第２電圧極２３ｂは、第２スピーカユニット１３の電圧出力側にそれぞれ接続されている。
また、接地極２３ｃは、第１スピーカユニット１２の接地端子と第２スピーカユニット１３の接地極端子にそれぞれ接続されている。
【００３５】
この３極ジャック２３には、イヤホン２４，２５のプラグ２６が差込接続される。このプラグ２６は、３極ジャック２３に対応して第１極２６ａ、第２極２６ｂおよび接地極２６ｃを備えており、二股のコード２７を介して第１イヤホン２４と第２イヤホン２５とが接続されている。
【００３６】
これにより、プラグ２６を３極ジャック２３に差込接続すると、第１イヤホン２４が接続され、第２スピーカユニット１３に第２イヤホン２５が接続される。
【００３７】
これにより、第１イヤホンおよび第２イヤホン２４，２５から音声が放音されるので、図４に示すように、ユーザーは右耳と左耳とにイヤホン２４，２５を挿入保持することにより、ステレオで音声を聴取することができる。
【００３８】
なお、装置本体２１の下部側には、マイクロフォン２２が設けられており、音声受信ユニット１４側に接続されている。この音声受信ユニット１４は、出力が前記信号変換ユニット１０ｃに接続されている。
【００３９】
これにより、マイクロフォン２２から話声等の音声信号が音声受信ユニット１４に入力すると、前記マイクロフォン９と同様に携帯電話機１に圧縮音声信号を伝送することができる。
【００４０】
そして、第１イヤホンおよび第２イヤホン２４，２５のコード２７が千切れたり、コード２７の切断によってイヤホン２４または２５が使用に耐えなくなった場合、このイヤホン２４，２５のみを取り替えれば良いので、無線イヤホン装置２０自体を交換する必要がなくなる。
【００４１】
なお、前記無線イヤホン装置２は、図５に示すように、略円筒形のヘッドホンスピーカ３１，３２に適用してもよい。このヘッドホンスピーカ３１，３２は、左右１対で、右側ヘッドホンスピーカ３１に前記無線イヤホン装置２が組み込まれている。
即ち、右側ヘッドホンスピーカ３１のスピーカ本体３１ａ内に、図１に示した無線イヤホン装置２の回路各部を内蔵している。
【００４２】
そして、スピーカ本体３１ａの内側部３１ｂに、スピーカ３１ｃを設けている。このスピーカ３１ｃは、図１に示した第１スピーカユニット１２に接続されている。
また、この右側ヘッドホンスピーカ３１は、スピーカ本体３１ａの外周部３１ｄの上面に前記ジャック穴３１ｅを形成している。なお、このジャック穴３１ｅに設けられるジャック５は、図１に示した第２スピーカユニット１３に接続されている。
【００４３】
左側ヘッドホンスピーカ３２は、スピーカ本体３２ａの内側部３２ｂに、スピーカ３２ｃを設けている。このスピーカ３２ｃは、コード３４を介してプラグ３３に接続されている。
【００４４】
これにより、ジャック穴３１ｅにプラグ３３を差込接続すると、ジャック５を介して、第２スピーカユニット１３に左側ヘッドホンスピーカ３２が接続される。
よって、ユーザーは、左右のヘッドホンスピーカ３１，３２を耳にあてがうと、各ヘッドホンスピーカ３１，３２によりステレオ音を聴くことができる。
【００４５】
なお、装置本体２１の下部側には、マイクロフォン３１ｆが設けられており、音声受信ユニット１４側に接続されている。この音声受信ユニット１４は、出力が前記信号変換ユニット１０ｃに接続されている。
【００４６】
これにより、マイクロフォン３１ｆから話声等の音声信号が音声受信ユニット１４に入力すると、前記マイクロフォン９と同様に携帯電話機１に圧縮音声信号を伝送することができる。
【００４７】
そして、左右のヘッドホンスピーカ３１，３２のコード３４が千切れたり、コード３４の切断によってイヤホン３１または３２が使用に耐えなくなった場合、このイヤホン３１，３２のみを取り替えれば良いので、無線イヤホン装置２０自体を交換する必要がなくなる。
【００４８】
ところで、この左右のヘッドホンスピーカ３１、３２は、人Ｈの片耳にかけられる外形形状となっており、それぞれ耳に保持することができる。これにより、ハンズフリーで携帯電話機１による通話を行うことができる。
【００４９】
以上のように、携帯電話機または音楽再生装置に用いられる無線イヤホン装置におけるコード付イヤホンやヘッドホンのコードが千切れたり、コードの切断によって使用に耐えなくなった場合、このイヤホンまたはヘッドホンのみを取り替えれば良いので、無線イヤホン装置自体を交換しなくて済む。
【符号の説明】
【００５０】
１      携帯電話機
１ａ    第１伝送モジュール
２      無線イヤホン装置
４      スピーカ
５      ジャック
６      イヤホン
７      プラグ
１０ａ  第２伝送モジュール
１０ｃ  信号変換ユニット
１２    第１スピーカユニット
１３    第２スピーカユニット
【図１】
0003157404.tif 000003
【図２】
0003157404.tif 000004
【図３】
0003157404.tif 000005
【図４】
0003157404.tif 000006
【図５】
0003157404.tif 000007
【手続補正書】
【提出日】平成21年12月2日(2009.12.2)
【手続補正１】
【補正対象書類名】実用新案登録請求の範囲
【補正対象項目名】請求項３
【補正方法】変更
【補正の内容】
【請求項３】
前記３極ジャックに差込接続されるプラグを有した左右１対のヘッドホンスピーカを備えてなることを特徴とする請求項２に記載の無線イヤホン装置。
【手続補正２】
【補正対象書類名】明細書
【補正対象項目名】０００７
【補正方法】変更
【補正の内容】
【０００７】
また、請求項２の構成に加えて、前記３極ジャックに差込接続されるプラグを有した左右１対のヘッドホンスピーカを備えてもよい。
このような構成により、左右１対のヘッドホンスピーカによって、ステレオで再生楽曲等を聴取できるからである。